(57)【要約】  【課題】音楽データとともに記録する楽曲情報を追加記録する際の記録速度を速くする。  【解決手段】音楽データと楽曲情報とをハードディスク装置２に記録する際に、音楽データを記録する領域２２と、楽曲情報を記録する領域２３とを異なる領域としておく。楽曲データ記録部２１の内容が更新されて、楽曲情報が記録されていなかった音楽データの楽曲情報を新たに追加記録する場合には、情報記録部２３の内容のみを更新し、音楽データが記録されている音楽データ記録部２２の内容は更新しない。  【選択図】図１
2006139837.tif 000002
【特許請求の範囲】
【請求項１】
音楽データとともに、音楽データの楽曲情報を記録する音楽データ記録装置において、
音楽データの楽曲情報が複数格納されている楽曲情報格納手段と、
音楽データを記録する第１の記録手段と、
前記第１の記録手段に記録される音楽データの楽曲情報が前記楽曲情報格納手段に格納されている場合には、その楽曲情報を記録する第２の記録手段と、
前記楽曲情報格納手段に格納されている楽曲情報の内容が更新されたか否かを判定する更新判定手段と、
前記更新判定手段によって、前記楽曲情報格納手段に格納されている楽曲情報の内容が更新されたと判定されると、前記第２の記録手段に楽曲情報が記録されていない音楽データの楽曲情報が前記楽曲情報格納手段に格納されているか調べ、格納されている場合には、その楽曲情報を前記第２の記録手段に記録させる制御手段とを備えることを特徴とする音楽データ記録装置。
【請求項２】
請求項１に記載の音楽データ記録装置において、
前記楽曲情報格納手段に格納されている楽曲情報の内容が更新されると、更新された旨の情報を記憶する更新情報記憶手段をさらに備え、
前記更新判定手段は、前記更新情報記憶手段に楽曲情報の内容が更新された旨の情報が記憶されている場合に、前記楽曲情報格納手段に格納されている楽曲情報の内容が更新されたと判定することを特徴とする音楽データ記録装置。
【請求項３】
請求項１に記載の音楽データ記録装置において、
前記更新判定手段は、前記楽曲情報格納手段に格納されている楽曲情報の内容を記憶しておき、更新判定時に前記楽曲情報格納手段に格納されている楽曲情報の内容と、予め記憶している楽曲情報の内容とが異なる場合に、前記楽曲情報格納手段に格納されている楽曲情報の内容が更新されたと判定することを特徴とする音楽データ記録装置。
【請求項４】
請求項１〜３のいずれかに記載の音楽データ記録装置において、
前記第２の記録手段は、音楽データのファイル名、楽曲情報が含まれているか否かを識別するための情報、音楽データの識別情報、曲名、アーティスト名、および、複数の音楽データの名称のうちの少なくともいずれか一つの情報を記録することを特徴とする音楽データ記録装置。
【請求項５】
請求項１〜４のいずれかに記載の音楽データ記録装置において、
前記音楽データは、記録媒体に記録されている状態から、前記第１の記録手段に記録されることを特徴とする音楽データ記録装置。
【請求項６】
音楽データとともに、音楽データの楽曲情報を記録する処理をコンピュータで実行する音楽データ記録方法において、
音楽データを記録する領域（以下、音楽データ記録領域）と、楽曲情報を記録する領域（以下、楽曲情報記録領域）とを異なる領域としておき、
音楽データを前記音楽データ記録領域に記録する際に、音楽データの楽曲情報が複数格納されている楽曲情報格納装置の中に、記録する音楽データに対応する楽曲情報が存在するか検索し、存在する場合には、その楽曲情報を記録しておき、
前記楽曲情報格納装置に格納されている楽曲情報の内容が更新されると、前記楽曲情報記録領域に楽曲情報が記録されていない音楽データの楽曲情報が前記楽曲情報格納装置の中に存在するか検索し、存在する場合には、その楽曲情報を前記楽曲情報記録領域に記録することを特徴とする音楽データ記録方法。
【発明の詳細な説明】
【技術分野】
【０００１】
本発明は、音楽データを記録する音楽データ記録装置および記録方法に関し、特に、音楽データに、楽曲情報を付加して記録する音楽データ記録装置および記録方法に関する。
【背景技術】
【０００２】
従来、ＣＤ等の記録媒体に記録されている音楽データをＨＤＤ等の記録装置に記録する際に、音楽データの楽曲情報が格納されているデータベースを参照することにより、音楽データに楽曲情報を付加して記録する装置が知られている（特許文献１参照）。この従来の装置では、記録対象の音楽データの楽曲情報がデータベース内に存在しない場合には、音楽データの記録場所をメモリに記録しておき、データベースの内容が更新されて楽曲情報が追加されると、楽曲情報が付加されていない音楽データの記録場所をメモリから読み出して、音楽データに楽曲情報を付加して再度記録している。
【０００３】
【特許文献１】特開２００４−１８５７７０号公報
【発明の開示】
【発明が解決しようとする課題】
【０００４】
しかしながら、従来の装置では、データベースの内容が更新されることにより、楽曲情報が付加されていなかった音楽データの楽曲情報を新たに記録する際に、音楽データも再度記録しなければならないため、記録時間が長くなるという問題があった。
【課題を解決するための手段】
【０００５】
本発明による音声データ記録装置および音声データ記録方法は、音楽データとともに、音楽データの楽曲情報を記録するものであって、音楽データと楽曲情報とをそれぞれ別々に記録する。音楽データを記録する際に、音楽データの楽曲情報が複数格納されている楽曲情報格納装置の中に、記録する音楽データに対応する楽曲情報が存在する場合には、その楽曲情報を記録しておき、楽曲情報格納装置に格納されている楽曲情報の内容が更新されると、楽曲情報が記録されていない音楽データの楽曲情報が楽曲情報格納装置の中に存在するか検索し、存在する場合には、その楽曲情報を記録することを特徴とする。
【発明の効果】
【０００６】
本発明による音声データ記録装置および音声データ記録方法によれば、音楽データと楽曲情報とをそれぞれ別々に記録し、音楽データの楽曲情報が複数格納されている楽曲情報格納装置の内容が更新された際に、楽曲情報を記録する領域の内容のみを更新するので、楽曲情報格納装置の内容の更新時における情報記録時間を速くすることができる。
【発明を実施するための最良の形態】
【０００７】
図１は、一実施の形態における音楽データ記録装置の構成を示す図である。一実施の形態における音楽データ記録装置１００は、オーディオ装置１と、ハードディスク装置２と、コンピュータを主体とする制御装置３とを備える。オーディオ装置１は、ＣＤ（コンパクトディスク）の音楽データをハードディスク装置２に記録する際には、音楽データおよび後述するＴＯＣ情報をＣＤから読み込む。また、音楽データの再生時には、ハードディスク装置２に圧縮データの形式で記録されている音楽データを復号・再生することにより、スピーカ４から音を出力する。
【０００８】
ハードディスク装置２は、ＣＤに記録されている音楽データ（曲）の楽曲情報が予め記録されている楽曲データ記録部２１と、音楽データの圧縮データを記録する音楽データ記録部２２と、音楽データ記録部２２に記録される音楽データの各種情報を記録する情報記録部２３とを備える。楽曲データ記録部２１は、最新の楽曲情報を記録しているものであり、最新の楽曲情報が記録されたＣＤなどの記録媒体を用いて楽曲情報を更新したり、インターネットを介して、最新の楽曲情報を更新している。
【０００９】
楽曲データ記録部２１には、複数のＣＤのアルバムタイトル、アーティスト名、各曲の曲名などの楽曲情報が予め記録されている。これらの楽曲情報は、ＣＤに記録されているＴＯＣ情報（ＣＤ識別情報）とともに記録されており、前述の通り、内容を更新（バージョンアップ）することができる。音楽データ記録部２２は、ＣＤの音楽データが記録されるデータ領域であり、後述する制御装置３によって圧縮処理が施された音楽データが記録される。情報記録部２３は、音楽データ記録部２２に記録される音楽データの楽曲情報等を含む各種情報が記録されるデータ領域である。
【００１０】
制御装置３は、ＣＤに記録されている音楽データをハードディスク装置２に記録する際に、音楽データに対して圧縮処理を施して、圧縮データに変換する処理を行うとともに、ハードディスク装置２の情報記録部２３に記録する音楽データの楽曲情報を、ハードディスク装置２の楽曲データ記録部２１から検索する。
【００１１】
図２は、ハードディスク装置２の情報記録部２３に記録されている情報の一例を示す図である。情報記録部２３に記録される情報には、音楽データ記録部２２に記録される音楽データのファイル名、楽曲情報が付加されているか否かを識別するための情報、ＴＯＣ情報、楽曲の曲名、アーティスト名、ＣＤのアルバム名等の情報が含まれる。
【００１２】
音楽データのファイル名には、圧縮処理時の圧縮規格に応じた拡張子が付随している。図２の例では、ＭＰ３形式の圧縮処理が施されたデータファイルには、「ｍｐ３」の拡張子が付随しており、ＷＭＡ形式の圧縮処理が施されたデータファイルには、「ｗｍａ」の拡張子が付随している。このように、ハードディスク装置２には、様々な圧縮形式の音楽データを記録することができる。
【００１３】
表示装置５は、ハードディスク装置２の情報記録部２３に記録されている楽曲情報を表示する。すなわち、音楽データ記録部２２に記録されている音楽データの再生時に、制御装置３は、再生する音楽データに対応する楽曲情報を情報記録部２３から読み出して、表示装置５に表示させる。
【００１４】
図３は、ＣＤに記録されている音楽データをハードディスク装置２に記録する際に行われる処理内容を示すフローチャートである。ステップＳ１０から始まる処理は、制御装置３によって行われる。ステップＳ１０では、オーディオ装置１がＣＤから読み取ったＴＯＣ情報を読み込んで、ステップＳ２０に進む。
【００１５】
ステップＳ２０では、ハードディスク装置２の楽曲データ記録部２１から、ステップＳ１０で読み込んだＣＤのＴＯＣ情報に対応する楽曲情報を検索する。上述したように、楽曲データ記録部２１に記録されている楽曲情報は、ＴＯＣ情報と対応して記録されているので、ステップＳ１０で読み込んだＴＯＣ情報に対応する楽曲情報が存在するか否かを調べる。楽曲情報の検索処理を行うと、ステップＳ３０に進む。
【００１６】
ステップＳ３０では、ＣＤに記録されている音楽データをハードディスク装置２の音楽データ記録部２２に順次記録するとともに、ステップＳ２０の検索結果に応じた情報を情報記録部２３に記録する。すなわち、音楽データ記録部２２に記録する音楽データの楽曲情報が楽曲データ記録部２１に存在する場合には、図２のファイル番号１〜３で示されるデータのように、音楽データのファイル名、ＴＯＣ情報、および、曲のタイトル、アーティスト名、アルバムタイトルを含む楽曲情報を記録する。
【００１７】
一方、楽曲情報が楽曲データ記録部２１に存在しなかった場合には、図２のファイル番号４〜６で示されるデータのように、音楽データのファイル名とともに、ＴＯＣ情報を記録する。この場合、音楽データの曲名、アーティスト名、アルバムタイトルなどの楽曲情報のデータはブランクとなる。また、楽曲情報の有無を示す情報の欄には、楽曲情報が存在しないことを示す情報が記録される。
【００１８】
図４は、ハードディスク装置２の楽曲データ記録部２１に記録されている楽曲情報が更新（バージョンアップ）された時に行われる処理内容を示すフローチャートである。ステップＳ１００から始まる処理は、制御装置３によって行われる。ステップＳ１００では、楽曲データ記録部２１に記録されている楽曲情報が更新されたか否かを判定する。ここでは、更新フラグに基づいて判定を行う。例えば、ユーザが最新の楽曲情報が記録されたＣＤ（以下、ＣＤＤＢ）を用いて更新する場合には、ユーザによってＣＤＤＢがオーディオ装置１のＣＤ挿入口（不図示）に挿入されると、まず、ＣＤＤＢのバージョンを読みとる。読みとったＣＤＤＢのバージョンが楽曲データ記録部２１に記録されている楽曲情報のバージョンより新しい場合に、更新フラグをセットする。
【００１９】
また、インターネットを用いた更新では、最新の楽曲情報を記録しているサーバより、楽曲情報のバージョンを入手し、楽曲データ記録部２１に記憶されている楽曲情報のバージョンより新しい場合に、更新フラグをセットする。このように、楽曲データ記録部２１に更新フラグがセットされていれば、楽曲情報の更新が行われたと判定してステップＳ１１０に進み、更新フラグがセットされていなければ、図４に示すフローチャートの処理を終了する。なお、更新フラグがセットされている場合には、ＣＤＤＢや、インターネットのサーバより、最新の楽曲情報を楽曲データ記録部２１に記録する。
【００２０】
ステップＳ１１０では、ハードディスク装置２の情報記録部２３に記録されているデータの中から、楽曲情報無しとなっている音楽データのＴＯＣ情報を読み出して、読み出したＴＯＣ情報と一致するＴＯＣ情報を楽曲データ記録部２１の中から検索する。ステップＳ１１０に続くステップＳ１２０では、楽曲情報無しとなっている音楽データのＴＯＣ情報に対応する楽曲情報が楽曲データ記録部２１内に存在するか否かを判定する。楽曲情報無しとなっている音楽データのＴＯＣ情報に対応する楽曲情報が存在すると判定すると、ステップＳ１３０に進み、存在しないと判定すると、ステップＳ１４０に進む。
【００２１】
ステップＳ１３０では、楽曲データ記録部２１に存在していた楽曲情報を情報記録部２３に記録する。すなわち、楽曲情報の有無を示す情報の欄には、楽曲情報が存在することを示すデータを書き込むとともに、ブランクとなっていた楽曲情報の欄に、曲名、アーティスト名、アルバムタイトル名などの楽曲情報を上書きする。この時、音楽データ記録部２２に記録されている音楽データの内容に変更はない（音楽データの上書きはしない）ので、音楽データのファイル名は変更されない。楽曲情報を記録する処理を行うと、ステップＳ１４０に進む。なお、ステップＳ１２０において、ＴＯＣ情報に対応する楽曲情報が存在しないと判定された場合には、楽曲情報の欄は、ブランクのままとなっている。
【００２２】
ステップＳ１４０では、楽曲情報無しとなっている全ての音楽データのＴＯＣ情報を検索したか否かを判定する。全ての音楽データのＴＯＣ情報を検索したと判定すると、図４に示すフローチャートの処理を終了し、全ての音楽データのＴＯＣ情報の検索が終了していないと判定すると、ステップＳ１１０に戻って、ステップＳ１１０以降の処理を行う。なお、ステップＳ１４０で、全ての音楽データのＴＯＣ情報を検索した場合には、楽曲データ記録部２１に記録した最新の楽曲情報は記録したままとしてもよいし、消去してもよいが、少なくともバージョンに関する情報は、記録したままにしておく。
【００２３】
一実施の形態における音楽データ記録装置によれば、ＣＤに記録されている音楽データと楽曲情報とをハードディスク装置２に記録する際に、音楽データを記録する領域と、楽曲情報とを記録する領域とを異なる領域としておく。これにより、楽曲データ記録部２１に記録されている楽曲情報の内容が更新（バージョンアップ）された時に、楽曲情報が記録されていない音楽データの楽曲情報を楽曲データ記録部２１から検索し、楽曲情報が存在する場合には、その楽曲情報のみをハードディスク装置２に記録させることができる。すなわち、楽曲情報が記録されていない音楽データの楽曲情報が楽曲データ記録部２１に新たに記録されて、その楽曲情報をハードディスク装置２に記録する際に、音楽データを再び記録する必要がないので、音楽データと楽曲情報とを組み合わせた形で記録する方法に比べて、記録速度を速くすることができる。
【００２４】
また、音楽データと楽曲情報とを組み合わせた形で圧縮処理を施して、ハードディスク装置に記録する従来の方法では、複数の音楽データが異なる圧縮形式で圧縮処理が行われている場合に、楽曲情報も音楽データの圧縮形式と同じ圧縮形式で圧縮処理を行う必要があった。このため、楽曲データ記録部２１に記録されている楽曲情報の内容が更新されて、楽曲情報の上書き更新処理を行う際に、データの上書き更新処理に時間がかかってしまう。これに対して、一実施の形態における音楽データ記録装置によれば、音楽データを記録する領域と、楽曲情報を記録する領域とを別の領域としたので、楽曲データ記録部２１に記録されている楽曲情報の内容が更新されて、楽曲情報の上書き更新処理を行う場合でも、音楽データの圧縮形式を考慮する必要がなく、迅速にデータの上書き更新処理を行うことができる。
【００２５】
さらに、記録対象の音楽データの楽曲情報が楽曲データ記録部２１内に存在しない場合には、音楽データの記録場所をメモリに記録しておき、楽曲データ記録部２１の内容が更新されて楽曲情報が追加されると、楽曲情報が付加されていない音楽データの記録場所をメモリから読み出して、音楽データに楽曲情報を付加して再度記録する従来の方法では、楽曲情報が楽曲データ記録部２１に存在しない音楽データが多くなることを考慮して、大容量のメモリを用意しておく必要があった。しかし、一実施の形態における音楽データ記録装置によれば、楽曲情報を記録する領域をハードディスク装置２内に設けているので、楽曲情報が楽曲データ記録部２１に存在しない音楽データが多数存在しても、記録容量が不足することはない。
【００２６】
本発明は、上述した一実施の形態に限定されることはない。上述した一実施の形態では、楽曲データ記録部２１に記録されている楽曲情報が更新されたか否かを、更新フラグがセットされているか否かに基づいて判断したが、更新の有無の判断方法はこの方法に限定されることはない。例えば、制御装置３が楽曲データ記録部２１に記録されている楽曲情報の内容を記憶しておき、任意の時刻において、楽曲データ記録部２１に記録されている楽曲情報の内容と、予め記憶している楽曲情報の内容とが異なる場合に、楽曲データ記録部２１に記録されている楽曲情報の内容が更新されたと判断するようにしてもよい。
【００２７】
上述した一実施の形態では、ＣＤに記録されている音楽データをハードディスク装置２に記録する例を挙げて説明したが、ＭＤ等の他の記録媒体に記録されている音楽データを記録することもできる。また、ＣＤやＭＤなどの記録媒体から音楽データをハードディスク装置２に記録するものに限らず、インターネットなどによって、サーバに記録されている音楽データを電話回線によって、直接、ハードディスク装置２に記録するようにしてもよい。さらに、音楽データを圧縮処理する際の圧縮形式として、ＭＰ３およびＷＭＡを挙げたが、圧縮形式によって、本発明が限定されることはないし、圧縮処理を施さずに、ハードディスク装置２に記録することもできる。
【００２８】
上述した一実施の形態では、音楽データおよび楽曲情報を記録する媒体として、ハードディスク装置２を用いたが、他の記録装置を用いることもできる。また、音楽データおよび楽曲情報を同一の記録装置に記録せず、それぞれ別の記録装置に記録するようにしてもよい。
【００２９】
ハードディスク装置２の情報記録部２３に記録する楽曲情報として、曲名、アーティスト名およびアルバムのタイトル名が含まれるようにしたが、これらのデータのうち、いずれか一つまたは二つが含まれるようにしてもよいし、他の情報が含まれるようにしてもよい。
【００３０】
特許請求の範囲の構成要素と一実施の形態の構成要素との対応関係は次の通りである。すなわち、楽曲データ記録部２１が楽曲情報格納手段および更新情報記憶手段を、音楽データ記録部２２が第１の記録手段を、情報記録部２３が第２の記録部を、制御装置３が更新判定手段および制御手段をそれぞれ構成する。なお、以上の説明はあくまで一例であり、発明を解釈する上で、上記の実施形態の構成要素と本発明の構成要素との対応関係に何ら限定されるものではない。
【図面の簡単な説明】
【００３１】
【図１】一実施の形態における音楽データ記録装置の構成を示す図
【図２】ハードディスク装置の情報記録部に格納されている情報の一例を示す図
【図３】ＣＤに記録されている音楽データをハードディスク装置に記録する際に行われる処理内容を示すフローチャート
【図４】ハードディスク装置の楽曲データ記録部に格納されている楽曲情報が更新される際に行われる処理内容を示すフローチャート
【符号の説明】
【００３２】
１…オーディオ装置、２…ハードディスク装置、３…制御装置、４…スピーカ、５…表示装置、２１…楽曲データ記録部、２２…音楽データ記録部、２３…情報記録部
【図１】
2006139837.tif 000003
【図２】
2006139837.tif 000004
【図３】
2006139837.tif 000005
【図４】
2006139837.tif 000006